(57)【要約】      （修正有）【課題】腰より下の疲労の回復が図られる膝枕を提供する。【解決手段】枕本体１と、枕カバーとを具える膝枕で、前記枕本体１は、傾斜面１５と、傾斜面の上辺から一体的に形成された平面１６と、平面の後辺から一体的に形成された曲面１７とを含む上面を有するものである。枕本体１の硬度は、ショア硬さで６０度〜８０度の範囲とされ、傾斜面の角度は、１２度〜１６度の範囲とする。【選択図】図４
2010162252.tif 000002
【特許請求の範囲】
【請求項１】
枕本体と、枕カバーとを具える膝枕であって、
前記枕本体は、傾斜面と、該傾斜面の上辺から一体的に形成された平面と、該平面の後辺から一体的に形成された曲面とを含む上面を有することを特徴とする膝枕。
【請求項２】
枕本体の硬度が、ショア硬さで６０度〜８０度の範囲とされてなることを特徴とする請求項１記載の枕。
【請求項３】
枕本体の最大厚みが、６ｃｍ〜８ｃｍの範囲とされてなることを特徴とする請求項１記載の膝枕。
【請求項４】
枕本体の幅が、３０ｃｍ〜４０ｃｍの範囲とされてなることを特徴とする請求項１記載の膝枕。
【請求項５】
枕本体の前面の高さが、３ｃｍ〜４ｃｍの範囲とされてなることを特徴とする請求項１記載の膝枕。
【請求項６】
傾斜面の角度が、１２度〜１６度の範囲とされてなることを特徴とする請求項１記載の膝枕。
【請求項７】
枕カバーの底面に滑り防止材が取付けられてなることを特徴とする請求項１記載の膝枕。
【発明の詳細な説明】
【技術分野】
【０００１】
本発明は、膝枕に関する。さらに詳しくは、睡眠時における血行促進が図られる膝枕に関する。
【背景技術】
【０００２】
従来より、睡眠時等における血行促進を図ることを目的として種々の膝枕が提案されてきている。
【０００３】
例えば、特許文献１には、仰向けで寝る際、膝を高くすることにより、膝、腰の負担を少なくし腹部の血行をよくして、健康的に眠ることができ、なおかつ安全な膝用枕を提供することを目的として、枕本体の中心に軸を設け、軸を発泡スチロールで囲み、この発泡スチロールをビニールで覆い、さらにスポンジで覆い、さらにスポンジの上を布で覆い、布にはポケットを付けてなる膝用枕が提案されている。
【０００４】
しかしながら、前記提案に係る膝用枕は構造が複雑であるため、コスト高になるという問題がある。
【０００５】
また、前記提案に係る膝用枕は人間工学的な考察が充分になされていないという問題もある。
【先行技術文献】
【特許文献】
【０００６】
【特許文献１】実開平６−３８７１７号公報
【発明の概要】
【発明が解決しようとする課題】
【０００７】
本発明はかかる従来技術の課題に鑑みなされたものであって、人間工学的な考察の上にたち腰より下の疲労の回復が図られる膝枕を提供することを目的としている。
【課題を解決するための手段】
【０００８】
本発明の膝枕は、枕本体と、枕カバーとを具える膝枕であって、前記枕本体は、傾斜面と、該傾斜面の上辺から一体的に形成された平面と、該平面の後辺から一体的に形成された曲面とを含む上面を有することを特徴とする。
【０００９】
本発明の膝枕においては、枕本体の硬度が、ショア硬さで６０度〜８０度の範囲とされてなるのが好ましい。
【００１０】
また、本発明の膝枕においては、枕本体の最大厚みが、６ｃｍ〜８ｃｍの範囲とされてなるのが好ましい。
【００１１】
さらに、本発明の膝枕においては、枕本体の幅が、３０ｃｍ〜４０ｃｍの範囲とされてなるのが好ましい。
【００１２】
さらに、本発明の膝枕においては、枕本体の前面の高さが、３ｃｍ〜４ｃｍの範囲とされてなるのが好ましい。
【００１３】
さらに、本発明の膝枕においては、傾斜面の角度が、１２度〜１６度の範囲とされてなるのが好ましい。
【００１４】
さらに、本発明の膝枕においては、枕カバーの底面に滑り防止材が取付けられてなるのが好ましい。
【発明の効果】
【００１５】
本発明によれば、睡眠時における脚部の敷き布団からの圧迫が軽減さること、股関節の内外回転をなくすこと、および腰が動きやすくなることにより、血行促進が図られて腰より下の疲労の回復が図られるという優れた効果が得られる。
【図面の簡単な説明】
【００１６】
【図１】本発明の一実施形態に係る膝枕の概略図である。
【図２】同実施形態に係る枕本体の平面図である。
【図３】同正面図である。
【図４】同側面図である。
【図５】同実施形態の枕本体の傾斜面の変形例の概略図である。
【発明を実施するための形態】
【００１７】
以下、添付図面を参照しながら本発明を実施形態に基づいて説明するが、本発明はかかる実施形態のみに限定されるものではない。
【００１８】
本発明の一実施形態に係る膝枕（以下、単に枕という）Ｐは、図１に示すように、枕本体１と、枕カバー２とを主要構成要素として備えてなるものとされる。なお、図示例においては、作図の便宜上、枕本体１と枕カバー２とは離間して描かれているが、枕本体１と枕カバー２とは、密着状態とされている。
【００１９】
図２〜４に、枕本体１を三面図で示す。
【００２０】
枕本体１は、図２〜４に示すように、角が丸みを帯びた直方体状とされている。
【００２１】
枕本体１は、適度な硬さを有する合成樹脂からなるブロック体とされる。合成樹脂としては、例えば成型が容易な点からウレタン樹脂が用いられ、その硬度はショア硬さで、６０〜８０度の範囲とされる。
【００２２】
枕本体１の硬さを前記の如く規制するのは、本発明者の観察によれば、硬度が６０度未満では、膝部を枕Ｐに載置した場合における枕Ｐからの膝部への刺激が弱すぎるなどで、動物本来が持つ自然治癒力を発揮させることができないことが判明したことによる。一方、硬度が８０度を超えると、膝部を枕Ｐに載置した場合における枕Ｐから膝部への刺激が強すぎるなどで、睡眠を妨げることが判明したことによる。
【００２３】
また、ブロック体のサイズは、幅が３０〜４０ｃｍの範囲とされ、長さが３０ｃｍ以上、好ましくは３０〜１２０ｃｍの範囲とされ、最大厚みが６ｃｍ〜８ｃｍの範囲とされる。
【００２４】
ブロック体の幅および長さを前記の如く規制するのは、成人でも膝部が載置されるようにするためである。また、最大厚みを前記の如く規制するのは、脚部の敷き布団との余分な接触を避け、敷き布団からの反力を低減するためである。
【００２５】
次に、枕本体１の形態について詳述する。なお、以下の説明においては、腰側を前面といい、足側を後面ということにする。
【００２６】
底面１１は、角が丸められた長方形とされている。角部の半径は、５ｍｍ程度とされている。
【００２７】
前面１２は、底面１１の前辺の直線部から起立状に一体的に形成されている。この起立高さは、３ｃｍ〜４ｃｍの範囲とされている。起立高さをこの範囲とするのは、脹脛の圧迫を軽減するためである。
【００２８】
後面１３は、底面１１の後辺の直線部から起立状に一体的に形成されている。後面１３の起立高さは、図示例においては、前面１２の起立高さと同一とされている。これは、裏腿の圧迫を軽減するためである。
【００２９】
上面１４は、前面１２の上辺から一定の登り勾配で一体的に形成された傾斜面１５と、傾斜面１５上辺から一体的に形成された平面１６と、平面１６の後辺から一体的に形成され後面１３の上辺と接合される曲面１７とを含むものとされる。
【００３０】
この傾斜面１５により、睡眠時などに裏腿に違和感を感じさせないという効果が得られる。
【００３１】
ここで、底面１１に対する傾斜面１５の投影幅は、４８％〜６５％の範囲とされ、傾斜面１５の傾斜角は、１２度〜１６度の範囲とされている。これは、平面１６の高さを前記厚みの範囲内とするためである。
【００３２】
また、平面１６の底面１１に対する投影幅は、２２％〜２８％の範囲とされている。これは、膝の折れ角度を好適なものとし、膝を枕Ｐに馴染ませて睡眠を妨げないようにするためである。
【００３３】
側面１８は、底面１１の側辺の直線部から上面１４の側辺と接合するよう曲面状に一体形成されている。
【００３４】
底面１１の丸みを帯びた角部に位置するコーナ面１９は、上面１４の側辺および側面１８の側辺と接合するよう曲面状に一体形成されている。これにより、睡眠中に膝部の位置がずれ、膝部が枕Ｐの端にきても不快な感じが生ずることはない。
【００３５】
枕カバー２は、従来と同様に枕本体２を包む布製の袋状のものとされている。
【００３６】
その底面には、枕Ｐの滑りを防止する滑り防止材２１が取付けられている。
【００３７】
滑り防止材２１は、例えば係止突起を有する面テープとされる。また、この取付は、例えば、縫付けや接着剤による貼付によりなされる。
【００３８】
このように、本実施形態の枕Ｐは、前記の如く構成されているので、睡眠時における脚部の敷き布団からの圧迫が低減され脚部の血行促進が図られる。
【００３９】
以上、本発明を実施形態に基づいて説明してきたが、本発明はかかる実施形態のみに限定されるもののではなく、種々改変が可能である。
【００４０】
例えば、図示例では、傾斜面１５と前面１２および平面１６との接合部は角に形成されているが、図５に示すように、適度の曲率で接合するようにされてもよい。
【産業上の利用可能性】
【００４１】
本発明は、寝具産業に適用できる。
【符号の説明】
【００４２】
１    枕本体
２    枕カバー
１１    底面
１２    前面
１３    後面
１４    上面
１５    傾斜面
１６    平面
１７    曲面
１８    側面
１９    コーナ面
２１    滑り防止材
Ｐ    膝枕
【図１】
2010162252.tif 000003
【図２】
2010162252.tif 000004
【図３】
2010162252.tif 000005
【図４】
2010162252.tif 000006
【図５】
2010162252.tif 000007